(57)【特許請求の範囲】
【請求項１】
経路情報提供システムであって、
鉄道やバス等の時刻表を作成するシステムであるダイヤ編成システムと、
鉄道やバス等の運行状況を監視する運行管理システムと、
前記ダイヤ編成システムからの時刻情報と前記運行管理システムからの運行情報から過去及び現在の運行実績情報を生成し、過去及び現在の運賃情報を管理する路線運行実績管理・運行時刻予測システムと、
利用者から受け付けた経路検索条件で出発地から到着地までの交通機関情報を含む経路情報を生成する経路検索システムとを備え、
前記利用者から受け付けた経路検索条件により、前記路線運行実績管理・運行時刻予測システムは、前記ダイヤ編成システムから該当する路線標準時刻情報と、前記運行管理システムから該当する路線運行情報を取得し、遅延が有る場合は、路線実績予測時刻情報として前記路線標準時刻情報と前記路線運行情報で算出した結果を設定して、前記経路検索システムは、前記路線実績予測時刻情報を取得して前記経路検索条件に合致した経路情報を生成し、
生成した前記経路情報を前記利用者へ提供する
ことを特徴とする経路情報提供システム。
【請求項２】
請求項１記載の経路情報提供システムであって、
前記経路検索システムは、システム全体を制御する第１のＣＰＵと、機能部を一時的に格納する第１の主メモリと、各種情報を格納する第１の記憶装置、各種情報を入力する第１の入力装置、各種情報を表示する第１の表示装置を備え、
前記路線運行実績管理・運行時刻予測システムは、システム全体を制御する第２のＣＰＵと、機能部を一時的に格納する第２の主メモリと、各種情報を格納する第２の記憶装置、各種情報を入力する第１の入力装置、各種情報を表示する第１の表示装置を備え、
前記第１の主メモリには、過去運行実績取得部、過去運賃実績取得部、精算経路算出部、申請経路算出部、精算経路入出力部、申請経路入出力部が格納され、
前記第２の主メモリには、路線標準時刻取得部、路線運行情報取得部、運行実績予想時刻算出部、運行実績予想時刻出力部、列車乗車位置算出部、乗換経路算出部、乗換時間算出部、列車乗車確率算出部、目的駅到着時刻・確率算出部、所要時間出力部、運賃実績出力部が格納され、
出張時の旅費を精算した結果である実績情報が格納される旅費精算実績ＤＢ、通勤手当の申請した結果である実績情報を格納する通勤手当申請実績ＤＢ、前記路線運行実績管理・運行時刻予測システムから取得した過去の各路線の運行実績情報が格納される過去列車運行実績ＤＢ、前記路線運行実績管理・運行時刻予測システムから取得した現在の各路線の標準時刻情報が格納される現行列車運行標準時刻ＤＢ、前記路線運行実績管理・運行時刻予測システムから取得した過去の各路線の標準時刻情報が格納される過去列車運行標準時刻ＤＢの各ＤＢが、前記第１の記憶装置に格納され、
列車の路線情報が格納される列車路線ＤＢ、接続駅情報と接続駅間の走行時間を格納する駅ＤＢ、乗換時間や乗換経路などを示す情報が格納される乗換ＤＢ、前記ダイヤ編成システムから前記路線標準時刻取得部が取得した標準時刻情報が格納されるダイヤＤＢ、前記運行管理システムから前記路線運行情報取得部が取得した列車運行実績情報が格納される列車運行状況ＤＢ、駅のホームの状況と移動人員及び列車待ち人員などホームの状況情報がホーム毎に格納される駅ホーム状況ＤＢ、列車の各車両における乗客数や混雑度の情報が格納される列車内状況ＤＢ、改札口から駅構内に入場した人数や駅構外に退場した人数の情報の他に、入退場した駅情報も含めて格納される改札口の入退場ＤＢ、過去の運行された列車の運行実績情報を格納される過去列車運行実績ＤＢ、過去及び現在における列車の乗車券代などの運賃及び特急券代などの料金の実績情報を格納する運賃・料金実績ＤＢ、過去の運行されたバスの運行実績情報を格納される過去バス運行実績ＤＢの各ＤＢが、前記第２の記憶装置に格納される
ことを特徴とする経路情報提供システム。
【請求項３】
請求項２記載の経路情報提供システムにおいて、前記経路検索条件に、交通機関を利用する日付情報と、出発駅情報と、目的駅情報とが含まれ、当該経路検索条件を前記第１の入力装置により入力される
ことを特徴とする経路情報提供システム。
【請求項４】
請求項３記載の経路情報提供システムにおいて、生成された交通機関での経路情報には、交通機関を利用する日付情報と、出発駅情報と、目的駅情報と、当該出発駅から当該目的駅までの移動時間と、交通機関利用費用とが少なくとも含まれ、前記生成された交通機関での経路情報が前記第１の表示装置により表示される
ことを特徴とする経路情報提供システム。
【請求項５】
経路情報提供システムの経路情報提供方法であって、
鉄道やバス等の時刻表を作成するシステムであるダイヤ編成システムと、
鉄道やバス等の運行状況を監視する運行管理システムと、
前記ダイヤ編成システムからの時刻情報と前記運行管理システムからの運行情報から過去及び現在の運行実績情報を生成し、過去及び現在の運賃情報を管理する路線運行実績管理・運行時刻予測システムと、
利用者から受け付けた経路検索条件で出発地から到着地までの交通機関情報を含む経路情報を生成する経路検索システムとを備え、
前記利用者から受け付けた経路検索条件により、前記路線運行実績管理・運行時刻予測システムは、前記ダイヤ編成システムから該当する路線標準時刻情報と、前記運行管理システムから該当する路線運行情報を取得し、遅延が有る場合は、路線実績予測時刻情報として前記路線標準時刻情報と前記路線運行情報で算出した結果を設定して、前記経路検索システムは、前記路線実績予測時刻情報を取得して前記経路検索条件に合致した経路情報を生成するステップと、
生成した前記経路情報を前記利用者へ提供するステップを有する
ことを特徴とする経路情報提供システムの経路情報提供方法。
【請求項６】
請求項５記載の経路情報提供システムの経路情報提供方法であって、
前記経路検索システムは、システム全体を制御する第１のＣＰＵと、機能部を一時的に格納する第１の主メモリと、各種情報を格納する第１の記憶装置、各種情報を入力する第１の入力装置、各種情報を表示する第１の表示装置を備え、
前記路線運行実績管理・運行時刻予測システムは、システム全体を制御する第２のＣＰＵと、機能部を一時的に格納する第２の主メモリと、各種情報を格納する第２の記憶装置、各種情報を入力する第１の入力装置、各種情報を表示する第１の表示装置を備え、
前記第１の主メモリに、過去運行実績取得部、過去運賃実績取得部、精算経路算出部、申請経路算出部、精算経路入出力部、申請経路入出力部が格納されるステップと、
前記第２の主メモリに、路線標準時刻取得部、路線運行情報取得部、運行実績予想時刻算出部、運行実績予想時刻出力部、列車乗車位置算出部、乗換経路算出部、乗換時間算出部、列車乗車確率算出部、目的駅到着時刻・確率算出部、所要時間出力部、運賃実績出力部が格納されるステップと、
出張時の旅費を精算した結果である実績情報が格納される旅費精算実績ＤＢ、通勤手当の申請した結果である実績情報を格納する通勤手当申請実績ＤＢ、前記路線運行実績管理・運行時刻予測システムから取得した過去の各路線の運行実績情報が格納される過去列車運行実績ＤＢ、前記路線運行実績管理・運行時刻予測システムから取得した現在の各路線の標準時刻情報が格納される現行列車運行標準時刻ＤＢ、前記路線運行実績管理・運行時刻予測システムから取得した過去の各路線の標準時刻情報が格納される過去列車運行標準時刻ＤＢの各ＤＢが、前記第１の記憶装置に格納されるステップと、
列車の路線情報が格納される列車路線ＤＢ、接続駅情報と接続駅間の走行時間を格納する駅ＤＢ、乗換時間や乗換経路などを示す情報が格納される乗換ＤＢ、前記ダイヤ編成システムから前記路線標準時刻取得部が取得した標準時刻情報が格納されるダイヤＤＢ、前記運行管理システムから前記路線運行情報取得部が取得した列車運行実績情報が格納される列車運行状況ＤＢ、駅のホームの状況と移動人員及び列車待ち人員などホームの状況情報がホーム毎に格納される駅ホーム状況ＤＢ、列車の各車両における乗客数や混雑度の情報が格納される列車内状況ＤＢ、改札口から駅構内に入場した人数や駅構外に退場した人数の情報の他に、入退場した駅情報も含めて格納される改札口の入退場ＤＢ、過去の運行された列車の運行実績情報を格納される過去列車運行実績ＤＢ、過去及び現在における列車の乗車券代などの運賃及び特急券代などの料金の実績情報を格納する運賃・料金実績ＤＢ、過去の運行されたバスの運行実績情報を格納される過去バス運行実績ＤＢの各ＤＢが、前記第２の記憶装置に格納されるステップとを有する
ことを特徴とする経路情報提供システムの経路情報提供方法。
【請求項７】
経路情報提供システムの経路情報提供プログラムであって、
前記経路情報提供システムは、
鉄道やバス等の時刻表を作成するシステムであるダイヤ編成システムと、
鉄道やバス等の運行状況を監視する運行管理システムと、
前記ダイヤ編成システムからの時刻情報と前記運行管理システムからの運行情報から過去及び現在の運行実績情報を生成し、過去及び現在の運賃情報を管理する路線運行実績管理・運行時刻予測システムと、
利用者から受け付けた経路検索条件で出発地から到着地までの交通機関情報を含む経路情報を生成する経路検索システムとを備え、
前記利用者から受け付けた経路検索条件により、前記路線運行実績管理・運行時刻予測システムは、前記ダイヤ編成システムから該当する路線標準時刻情報と、前記運行管理システムから該当する路線運行情報を取得し、遅延が有る場合は、路線実績予測時刻情報として前記路線標準時刻情報と前記路線運行情報で算出した結果を設定して、前記経路検索システムは、前記路線実績予測時刻情報を取得して前記経路検索条件に合致した経路情報を生成する機能と、
生成した前記経路情報を前記利用者へ提供する機能とを有する
ことを特徴とする経路情報提供システムの経路情報提供プログラム。
【請求項８】
請求項７記載の経路情報提供システムの経路情報提供プログラムであって、
前記経路検索システムは、システム全体を制御する第１のＣＰＵと、機能部を一時的に格納する第１の主メモリと、各種情報を格納する第１の記憶装置、各種情報を入力する第１の入力装置、各種情報を表示する第１の表示装置を備え、
前記路線運行実績管理・運行時刻予測システムは、システム全体を制御する第２のＣＰＵと、機能部を一時的に格納する第２の主メモリと、各種情報を格納する第２の記憶装置、各種情報を入力する第１の入力装置、各種情報を表示する第１の表示装置を備え、
前記第１の主メモリに、過去運行実績取得部、過去運賃実績取得部、精算経路算出部、申請経路算出部、精算経路入出力部、申請経路入出力部を格納する機能と、
前記第２の主メモリに、路線標準時刻取得部、路線運行情報取得部、運行実績予想時刻算出部、運行実績予想時刻出力部、列車乗車位置算出部、乗換経路算出部、乗換時間算出部、列車乗車確率算出部、目的駅到着時刻・確率算出部、所要時間出力部、運賃実績出力部を格納される機能と、
出張時の旅費を精算した結果である実績情報が格納される旅費精算実績ＤＢ、通勤手当の申請した結果である実績情報を格納する通勤手当申請実績ＤＢ、前記路線運行実績管理・運行時刻予測システムから取得した過去の各路線の運行実績情報が格納される過去列車運行実績ＤＢ、前記路線運行実績管理・運行時刻予測システムから取得した現在の各路線の標準時刻情報が格納される現行列車運行標準時刻ＤＢ、前記路線運行実績管理・運行時刻予測システムから取得した過去の各路線の標準時刻情報が格納される過去列車運行標準時刻ＤＢの各ＤＢを、前記第１の記憶装置に格納する機能と、
列車の路線情報が格納される列車路線ＤＢ、接続駅情報と接続駅間の走行時間を格納する駅ＤＢ、乗換時間や乗換経路などを示す情報が格納される乗換ＤＢ、前記ダイヤ編成システムから前記路線標準時刻取得部が取得した標準時刻情報が格納されるダイヤＤＢ、前記運行管理システムから前記路線運行情報取得部が取得した列車運行実績情報が格納される列車運行状況ＤＢ、駅のホームの状況と移動人員及び列車待ち人員などホームの状況情報がホーム毎に格納される駅ホーム状況ＤＢ、列車の各車両における乗客数や混雑度の情報が格納される列車内状況ＤＢ、改札口から駅構内に入場した人数や駅構外に退場した人数の情報の他に、入退場した駅情報も含めて格納される改札口の入退場ＤＢ、過去の運行された列車の運行実績情報を格納される過去列車運行実績ＤＢ、過去及び現在における列車の乗車券代などの運賃及び特急券代などの料金の実績情報を格納する運賃・料金実績ＤＢ、過去の運行されたバスの運行実績情報を格納される過去バス運行実績ＤＢの各ＤＢを、前記第２の記憶装置に格納する機能とを有する
ことを特徴とする経路情報提供システムの経路情報提供プログラム。
【請求項９】
請求項２記載の経路情報提供システムにおいて、前記第２の記憶装置に格納されたＤＢを用いて乗換駅での降車位置から乗車位置への移動経路を、前記経路算出部が算出することを特徴とする経路情報提供システム。
【請求項１０】
請求項９記載の経路情報提供システムにおいて、前記第２の記憶装置に格納されたＤＢを用いて列車乗車確率算出部が、列車の１両当たりの最大乗車人員数と、車両に乗車済の乗車人員数と、駅での降車人員数と、駅での待ち人員である乗車予定人員数により列車に乗車できる確率を算出することを特徴とする経路情報提供システム。
【請求項１１】
請求項１０記載の経路情報提供システムにおいて、前記乗車可能確率は、前記列車の１両当たりの最大乗車人員数を、前記車両に乗車済の乗車人員数から駅での降車人員数を減算し、当該減算した人員数に駅での待ち人員である乗車予定人員数を加算した人員数で除算して算出する
ことを特徴とする経路情報提供システム。
【発明の詳細な説明】
【技術分野】
【０００１】
本発明は、旅費や通勤手当の申請に好適な経路情報提供システム、経路情報提供方法及び経路情報提供プログラムに関する。
【背景技術】
【０００２】
列車の遅延発生時、各駅への列車到着時刻を正確に予測して通知する列車運行管理装置、及び列車到着時刻通知方法に関して、特許文献１記載の技術がある。この技術において、列車運行管理装置は、列車位置を追跡する自動進路制御装置と、列車の運行ダイヤを修正するためのダイヤ修正装置と、旅客案内情報を通知する案内装置６０とを備える。自動進路制御装置は、列車位置の追跡情報Ｐをダイヤ修正装置に送信する。ダイヤ修正装置は、運行ダイヤと追跡情報Ｐとに基づいて、駅ごとに列車の到着時刻を予測し、この到着時刻情報Ｔを案内装置に送信する。そして、案内装置は、到着時刻情報Ｔに基づいて列車の到着時刻を通知することを開示している。【０００３】
また、リアルタイムの列車運行状況を直接利用者に対して提供するシステムとして、特許文献２記載の技術がある。この技術において、複数の線区に対応する複数の列車の各駅着発時刻を含む運行ダイヤ情報を管理するダイヤ管理装置と、運行管理装置とを含む列車運行システムに対して通信可能であり、利用者の通信端末に対して列車運行状況を表す情報を提供可能な運行状況提供システム１はダイヤ情報取得手段により取得された運行ダイヤ情報および取得手段により取得された実績ダイヤ情報に基づいて、複数の列車に関連するリアルタイムの運行状況を表す情報を、運行状況表示端末のＷｅｂブラウザに基づく動作において受信閲覧可能なＨＴＭＬ形式で生成する手段とを備えたＷｅｂサーバを含む運行状況サーバ装置を開示している。【０００４】
更に、実際の最新の運行状況の案内およびそれに基づく経路探索を可能にするシステムとして、特許文献３記載の技術がある。この技術において、列車に乗車中の携帯端末から端末位置を収集する。経路探索サーバは、収集した端末位置とダイヤ情報とを照合することにより当該ユーザが乗車中の列車および現在位置を特定する。また、特定した列車の現在位置の軌跡を蓄積する。軌跡とダイヤ情報との照合により列車の遅延状況を判断し、判断結果を更新自在に記録する。その後、いずれかの携帯端末からの経路探索要求に応じて運行情報および最新の列車の遅延状況による運行予測に基づく経路探索を行い、探索結果を携帯端末へ提供するものである。
【先行技術文献】
【特許文献】
【０００５】
【特許文献１】特開２０１１−２０６１１号公報
【特許文献２】特開２００２−２７４３８２号公報
【特許文献３】特開２０１３−１７０９０１号公報
【発明の概要】
【発明が解決しようとする課題】
【０００６】
現行の経路検索システムは、過去の運行実績や運賃を加味した経路検索を行うことができないため、適切な経路情報を利用者に提供することができない。そこで、本発明では、過去の運行実績や運賃を加味した経路検索を行うことができる経路情報提供システム、経路情報提供方法及び経路情報提供プログラムを提供することを目的とする。
【課題を解決するための手段】
【０００７】
上記課題を解決するために、本発明の経路情報提供システムは、鉄道やバス等の時刻表を作成するシステムであるダイヤ編成システムと、鉄道やバス等の運行状況を監視する運行管理システムと、前記ダイヤ編成システムからの時刻情報と前記運行管理システムからの運行情報から過去及び現在の運行実績情報を生成し、過去及び現在の運賃情報を管理する路線運行実績管理・運行時刻予測システムと、利用者から受け付けた経路検索条件で出発地から到着地までの交通機関情報を含む経路情報を生成する経路検索システムとを備え、前記利用者から受け付けた経路検索条件により、前記路線運行実績管理・運行時刻予測システムは、前記ダイヤ編成システムから該当する路線標準時刻情報と、前記運行管理システムから該当する路線運行情報を取得し、遅延が有る場合は、路線実績予測時刻情報として前記路線標準時刻情報と前記路線運行情報で算出した結果を設定して、前記経路検索システムは、前記路線実績予測時刻情報を取得して前記経路検索条件に合致した経路情報を生成し、利用者へ提供する。
【発明の効果】
【０００８】
本発明の経路情報提供システム、経路情報提供方法及び経路情報提供プログラムでは、過去の運行実績や運賃実績を考慮した経路検索が可能になり、その経路情報をユーザに提供できるので利便性を向上することができる。前述以外の課題、構成及び効果は、以下の実施形態の説明により明らかにされる。
【図面の簡単な説明】
【０００９】
【図１】図１は、経路情報提供システムの構成を示す図である。
【図２】図２は、移動体を列車とした場合の路線を示す図である。
【図３】図３は、路線運行実績管理・運行時刻予測システムの内部構成を示すブロック図である。
【図４】図４は、ダイヤＤＢの内容である標準時刻テーブルの構成例を示す図である。
【図５ａ】図５ａは、列車運行状況ＤＢの内容である運行状況テーブルの構成例を示す図である。
【図５ｂ】図５ｂは、過去列車運行実績ＤＢの内容である過去運行実績テーブル（単日）の構成例を示す図である。
【図５ｃ】図５ｃは、過去列車運行実績ＤＢの内容である過去運行実績テーブル（期間平均）の構成例を示す図である。
【図６】図６は、列車運行状況ＤＢの内容である運行実績・予測時刻テーブルの構成例を示す図である。
【図７】図７は、路線運行実績予測時刻生成処理を示すフローチャート図である。
【図８】図８は、第１の経路検索結果の表示イメージを示す図である。
【図９】図９は、列車路線ＤＢの内容である路線テーブルの構成例を示す図である。
【図１０】図１０は、駅ＤＢの内容である駅テーブルの構成例を示す図である。
【図１１】図１１は、乗換ＤＢの内容である乗換テーブルの構成例を示す図である。
【図１２】図１２は、列車内状況ＤＢの内容である列車内状況テーブルの構成例を示す図である。
【図１３】図１３は、駅ホーム状況ＤＢの内容である駅ホーム状況テーブルの構成例を示す図である。
【図１４】図１４は、列車乗換情報提供処理を示すフローチャート図である。
【図１５】図１５は、第２の経路検索結果の表示イメージを示す図である。
【図１６】図１６は、第３の経路検索結果の表示イメージを示す図である。
【図１７】図１７は、第４の経路検索結果の表示イメージを示す図である。
【図１８】図１８は、経路検索システムの内部構成を示すブロック図である。
【図１９】図１９は、運賃・料金実績ＤＢの内容である運賃・料金テーブルの構成例を示す図である。
【図２０】図２０は、出張予定の申請画面の表示イメージを示す図である。
【図２１】図２１は、出張の旅費精算画面の表示イメージを示す図である。
【図２２】図２２は、通勤定期の申請画面の表示イメージを示す図である。
【図２３】図２３は、申請及び精算時の経路検索処理を示すフローチャート図である。
【発明を実施するための形態】
【００１０】
以下、図面を参照しながら本発明の実施の形態を説明する。なお、以下の説明では、「管理テーブル」等の表現にて各種情報を説明することがあるが、各種情報は、テーブル以外のデータ構造で表現されていてもよい。また、データ構造に依存しないことを示すために「管理テーブル」を「管理情報」と呼ぶことができる。
【００１１】
また、「プログラム」を主語として処理を説明する場合がある。そのプログラムは、プロセッサ、例えば、ＭＰ（Ｍｉｃｒｏ  Ｐｒｏｃｅｓｓｏｒ）やＣＰＵ（Ｃｅｎｔｒａｌ  Ｐｒｏｃｅｓｓｉｎｇ  Ｕｎｉｔ）によって実行されるもので、定められた処理をするものである。なお、プロセッサは、適宜に記憶資源（例えばメモリ）及び通信インターフェース装置（例えば、通信ポート）を用いながら処理を行うため、処理の主語がプロセッサとされてもよい。プロセッサは、ＣＰＵの他に専用ハードウェアを有していても良い。コンピュータプログラムは、プログラムソースから各コンピュータにインストールされても良い。プログラムソースは、例えば、プログラム配布サーバ又は記憶メディアなどで提供されるものであっても良い。
【００１２】
また、各要素、例えば、コントローラは番号などで識別可能であるが、識別可能な情報であれば、各要素を名前など他種の識別情報が用いられても良い。本発明の図及び説明において同一部分には同一符号を付与しているが、本発明が本実施例に制限されることは無く、本発明の思想に合致するあらゆる応用例が本発明の技術的範囲に含まれる。また、特に限定しない限り、各構成要素は複数でも単数でも構わない。
【実施例１】
【００１３】
＜全体システム＞
図１は、経路情報提供システムの構成を示す図である。経路情報提供システム６は、路線運行実績管理・運行時刻予測システム１、ダイヤ編成システム２、運行管理システム３、経路検索システム４から構成し、処理結果をユーザ５へ提供する。【００１４】
路線運行実績管理・運行時刻予測システム１は、ダイヤ編成システム２からの時刻情報と、運行管理システム３からの運行実績情報とから、未来の運行状況を予測した実績予想時刻を生成し、生成した情報を経路検索システム４へ提供するシステムである。ダイヤ編成システム２は、鉄道やバス等の移動体の時刻表を作成するシステムである。運行管理システム３は、鉄道やバス等の移動体の運行状況を監視するシステムである。経路検索システム４は、利用者から受け付けた経路検索条件で出発地から到着地までの交通機関情報を含む経路情報を生成するシステムである。【００１５】
＜列車路線＞
図２は、移動体を列車とした場合の路線を示す図である。本実施例では、図のように、３つの路線（α路線、β路線、γ路線）があり、各路線に複数の駅があるものとして説明する。【００１６】
α路線には、Ａ駅、Ｂ駅、Ｃ駅、Ｄ駅、Ｅ駅がある。また、β路線には、Ｘ駅、Ｃ駅、Ｙ駅、Ｚ駅がある。同じく、γ路線には、Ｆ駅、Ｄ駅、Ｙ駅、Ｇ駅がある。Ｃ駅でα路線とβ路線との乗換が可能である。また、Ｄ駅でα路線とγ路線との乗換が可能である。同じく、Ｙ駅でβ路線とγ路線との乗換が可能である。乗換方法については、図１６ないし図１７で詳細に説明する。【００１７】
＜路線運行実績管理・運行時刻予測システム＞
図３は、路線運行実績管理・運行時刻予測システムの内部構成を示すブロック図である。路線運行実績管理・運行時刻予測システム１は、ＣＰＵ１０、入力部１１、出力部１２、表示部１３、通信部１４、主メモリ１５、記憶装置１８の要素から構成される。なお、ダイヤ編成システム２、運行管理システム３、経路検索システム４も路線運行実績管理・運行時刻予測システム１と同様の構成でもよいし、別な構成としてもよい。【００１８】
ＣＰＵ１０は、路線運行実績管理・運行時刻予測システム１全体を制御するプロセッサである。入力部１１は、外部からの情報を受け付けるデバイスで、例えば、キーボードである。出力部１２は、情報やデータを出力するデバイスで、例えば、スピーカやプリンタである。表示部１３は、情報やデータを表示するデバイスで、例えば、液晶ディスプレイである。通信部１４は、ネットワークを介し他の装置（ダイヤ編成システム２、運行管理システム３、経路検索システム４など）とを接続するデバイスである。【００１９】
主メモリ１５は、各種プログラム及び後述する各種データなどを一時的に記憶するデバイスである。記憶装置１８は、各種プログラム及び後述する各種データなどを恒久的に記憶するデバイスで、例えばＨＤＤ（Ｈａｒｄ  Ｄｉｓｋ  Ｄｒｉｖｅ）やＳＳＤ（Ｓｏｌｉｄ  Ｓｔａｔｅ  Ｄｒｉｖｅ）などである。以上の構成要素は内部バスで相互に接続される。【００２０】
また、主メモリ１５には、列車関連の各種情報を取得する機能や算出する機能を有する機能部１６０と、バス関連の各種情報を取得する機能や算出する機能を有する機能部１７０を格納する。また、図示はしていないが航空機関連や船舶関連などの移動体の各種情報を取得する機能や算出する機能を有する機能部を格納することもできる。【００２１】
列車関連の機能部１６０は、路線標準時刻取得部１６１、路線運行情報取得部１６２、運行実績予想時刻算出部１６３、運行実績予想時刻出力部１６４、所要時間出力部１６４１、運賃実績出力部１６４２、列車乗車位置算出部１６５、乗換経路算出部１６６、乗換時間算出部１６７、列車乗車確率算出部１６８、目的駅到着時刻・確率算出部１６９を備える。【００２２】
路線標準時刻取得部１６１は、ダイヤ編成システム２から各路線の標準時刻情報を取得する機能部で、取得した標準時刻情報を後述のダイヤＤＢ１８４に格納する。路線運行情報取得部１６２は、運行管理システム３からの運行実績情報を取得する機能部で列車運行状況ＤＢ１８５に取得した運行実績情報を格納する。運行実績予想時刻算出部１６３は、前述の運行実績情報から運行実績予想時刻を算出する機能部である。運行実績予想時刻出力部１６４は、算出された運行実績予想時刻を経路検索システム４に送信したり、列車運行状況ＤＢ１８５に格納したりするための機能部である。所要時間出力部１６４１は、経路検索システム４から取得した経路情報での各駅間及び全体の所要時間を後述の過去列車運行実績ＤＢ１８９１や過去バス運行実績ＤＢ１９５等に基づいて算出し、経路検索システム４に出力する機能部である。運賃実績出力部１６４２は、経路検索システム４から取得した経路情報での各駅間及び全体の運賃または料金を、後述の運賃・料金実績ＤＢ１８９２に基づいて算出し、経路検索システム４に出力する機能部である。【００２３】
列車乗車位置算出部１６５は、後述の駅ＤＢ１８２、乗換ＤＢ１８３、列車運行状況ＤＢ１８５、駅ホーム状況ＤＢ１８６、列車内状況ＤＢ１８７、改札口の入退場ＤＢ１８８における各種情報、例えば、各車両の乗車人員、ホームでの移動人員・列車待ち人員、改札口の入場退場人員などの人員情報と、改札口位置や移動経路などの駅構造といった情報により、列車で乗車に適切な車両位置を算出する機能部である。【００２４】
乗換経路算出部１６６は、後述の駅ＤＢ１８２、乗換ＤＢ１８３、列車運行状況ＤＢ１８５、駅ホーム状況ＤＢ１８６、列車内状況ＤＢ１８７、改札口の入退場ＤＢ１８８における各種情報により、乗換駅での適切な乗換経路（移動経路）を算出する機能部である。【００２５】
乗換時間算出部１６７は、駅ＤＢ１８２、乗換ＤＢ１８３、列車運行状況ＤＢ１８５、駅ホーム状況ＤＢ１８６、列車内状況ＤＢ１８７、改札口の入退場ＤＢ１８８における各種情報により乗換駅での適切な乗換経路（移動経路）の候補毎の移動時間を算出する機能部である。【００２６】
列車乗車確率算出部１６８は、駅ＤＢ１８２、乗換ＤＢ１８３、列車運行状況ＤＢ１８５、駅ホーム状況ＤＢ１８６、列車内状況ＤＢ１８７、改札口の入退場ＤＢ１８８における各種情報により列車へ乗車できる確率を算出する機能部である。【００２７】
目的駅到着時刻・確率算出部１６９は、列車路線ＤＢ１８１、駅ＤＢ１８２、乗換ＤＢ１８３、ダイヤＤＢ１８４、列車運行状況ＤＢ１８５、駅ホーム状況ＤＢ１８６、列車内状況ＤＢ１８７、改札口の入退場ＤＢ１８８における各種情報により、目的駅への到着時刻候補と到着時刻候補毎の到着確率を算出する機能部である。【００２８】
また、記憶装置１８には、各種情報（テーブル）がＤＢ（データベース）として格納される。列車路線ＤＢ１８１には、列車の路線情報が格納される。すなわち、図２に示すような路線毎の駅情報等が格納される。駅ＤＢ１８２には、接続駅情報と接続駅間の走行時間を格納するが、駅構内の情報、例えば、列車到着番線、駅構造（改札口位置、地下・地上出入口等）などの情報を加えて格納してもよい。乗換ＤＢ１８３には、乗換時間や乗換経路などを示す情報が格納されるが、駅構内の情報、例えば、列車到着番線、駅構造（改札口位置、地下・地上出入口等）などの情報を加えて格納してもよい。【００２９】
ダイヤＤＢ１８４には、ダイヤ編成システム２から路線標準時刻取得部１６１が取得した標準時刻情報が格納される。列車運行状況ＤＢ１８５には、運行管理システム３から路線運行情報取得部１６２が取得した列車運行実績情報が格納される。駅ホーム状況ＤＢ１８６には、駅のホームの状況、移動人員や列車待ち人員など、ホームの状況情報がホーム毎に格納される。列車内状況ＤＢ１８７には、列車の各車両における乗客数や混雑度の情報が格納される。改札口の入退場ＤＢ１８８には、改札口から駅構内に入場した人数や駅構外に退場した人数の情報の他に、入退場した駅情報も格納される。過去列車運行実績ＤＢ１８９１には、過去の列車の運行実績、つまり、発生した遅延等の運行状況を含む運行実績情報を格納する。【００３０】
バス路線ＤＢ１９１には、バス系統毎の路線情報が格納される。バス停ＤＢ１９２には、バス系統毎のバス停情報（位置情報、表示時刻情報など）等が格納される。バス停状況ＤＢ１９３には、各バス停での待ち人員や乗降客数の情報が格納される。バス内状況ＤＢ１９４には、運行中や発車待ちのバスに乗っている乗客数の情報が格納される。過去バス運行実績ＤＢ１９５には、過去のバスの運行実績、つまり、発生した遅延等の運行状況を含む運行実績情報を格納する。運賃・料金実績ＤＢ１８９２には、過去及び現在の各駅間の運賃（乗車券などの運賃）及び料金（特急料金、指定席料金、グリーン乗車料金等）の情報が、運賃・料金改定、消費税導入・税率変更などに応じて格納される。【００３１】
＜標準時刻テーブル＞
図４は、ダイヤＤＢの内容である標準時刻テーブルの構成例を示す図である。標準時刻テーブル４１は、α路線の標準時刻表の情報を管理し、列車の便名を一意に識別する便ＩＤと各駅における発車時刻の情報を有する。同じく、標準時刻テーブル４２は、β路線の標準時刻表の情報を管理し、列車の便名を一意に識別する便ＩＤと各駅における発車時刻の情報を有する。同じく、標準時刻テーブル４３は、γ路線の標準時刻表の情報を管理し、列車の便名を一意に識別する便ＩＤと各駅における発車時刻の情報を有する。【００３２】
＜運行状況テーブル＞
図５ａは、列車運行状況ＤＢの内容である運行状況テーブルの構成例を示す図である。運行状況テーブル５１は、α路線の実際の運行状況を管理し、列車の便名を一意に識別する便ＩＤと各駅における発車遅れ時間の情報を格納する。同じく、運行状況テーブル５２は、β路線の実際の運行状況を管理し、列車の便名を一意に識別する便ＩＤと各駅における発車遅れ時間の情報を格納する。同じく、運行状況テーブル５３は、γ路線の実際の運行状況を管理し、列車の便名を一意に識別する便ＩＤと各駅における発車遅れ時間の情報を格納する。括弧無しで表記した秒数が実際の遅れ時間であり、括弧有りで表記した秒数は、実際の遅れ時間から予測した遅れ時間である。例えば、α線で便ＩＤが“０００１”はＡ駅で８０秒実際に遅れ、Ｄ駅では９０秒の遅れが発生されると予測される。【００３３】
＜過去運行実績テーブル１＞
図５ｂは、過去列車運行実績ＤＢの内容である過去運行実績テーブル（単日）の構成例を示す図である。過去運行実績テーブル（単日）５４、５４ａ、５４ｂ・・・は、１日毎のα路線の運行実績を管理し、列車の便名を一意に識別する便ＩＤと各駅における遅れ時間の実績情報を過去列車運行実績ＤＢ１８９１に格納する。同じく、過去運行実績テーブル（単日）５５、５５ａ、５５ｂ・・・は、１日毎のβ路線の運行実績を管理し、列車の便名を一意に識別する便ＩＤと各駅における遅れ時間の実績情報を過去列車運行実績ＤＢ１８９１に格納する。同じく、過去運行実績テーブル（単日）５６、５６ａ、５６ｂ・・・は、１日毎のγ路線の運行実績を管理し、列車の便名を一意に識別する便ＩＤと各駅における遅れ時間の実績情報を過去列車運行実績ＤＢ１８９１に格納する。【００３４】
＜過去運行実績テーブル２＞
図５ｃは、過去列車運行実績ＤＢの内容である過去運行実績テーブル（期間平均）の構成例を示す図である。過去運行実績テーブル（期間平均）５７、５７ａ、５７ｂ・・・は、所定期間毎のα路線の運行実績を管理し、列車の便名を一意に識別する便ＩＤと各駅における遅れ時間の実績情報を過去列車運行実績ＤＢ１８９１に格納する。同じく、過去運行実績テーブル（期間平均）５８、５８ａ、５８ｂ・・・は、所定期間毎のβ路線の運行実績を管理し、列車の便名を一意に識別する便ＩＤと各駅における遅れ時間の実績情報を過去列車運行実績ＤＢ１８９１に格納する。同じく、過去運行実績テーブル（期間平均）５９、５９ａ、５９ｂ・・・は、所定期間毎のγ路線の運行実績を管理し、列車の便名を一意に識別する便ＩＤと各駅における遅れ時間の実績情報を過去列車運行実績ＤＢ１８９１に格納する。なお、図５ｃでは所定期間の運行実績（期間平均）としているが、週単位、月単位、四半期単位での平均で、過去運行実績テーブルを作成してもよいし、単純平均ではなく移動平均や重み付け平均としてもよい。そうすることで、新年度開始直後、学校の長期休暇明け、期末、お盆・年末年始等により電車の混み具合が異なるという状況に対して、経路検索において精度の高い結果を検索者に提示することが可能となる。【００３５】
＜運行実績／予測時刻テーブル＞
図６は、列車運行状況ＤＢの内容である運行実績・予測時刻テーブルの構成例を示す図である。α路線の運行実績・予測時刻テーブル６１は、標準時刻テーブル４１の時刻情報と運行状況テーブル５１の遅延時間情報とから生成されるテーブルである。同じく、β路線の運行実績・予測時刻テーブル６２も、標準時刻テーブル４２の時刻情報と運行状況テーブル５２の遅延時間情報とから生成されるテーブルである。同じく、γ路線の運行実績・予測時刻テーブル６３も、標準時刻テーブル４３の時刻情報と運行状況テーブル５３の遅延時間情報とから生成されるテーブルである。運行実績・予測時刻テーブル６１／６２／６３は、列車の便名を一意に識別する便ＩＤと各駅における発車時刻の実績情報及び予想情報（表中で括弧で表記した値）を格納する。【００３６】
＜路線運行実績予測時刻生成処理＞
図７は、路線運行実績予測時刻生成処理を示すフローチャート図である。本例では処理の主体を路線運行実績管理・運行時刻予測システム１のＣＰＵ１０とするが、主体はＣＰＵ１０上で動作する制御プログラムでも、路線運行実績管理・運行時刻予測システム１自体でもよい。また、本例では、ＣＰＵ１０はα路線のＡ駅を出発しβ路線のＹ駅に到着する経路を探索するものとする。【００３７】
Ｓ７０１で、路線運行実績管理・運行時刻予測システム１のＣＰＵ１０は、経路検索システム４で受け付けたユーザ経路検索条件（α路線のＡ駅からβ路線のＹ駅まので経路）を取得する。そこで、Ｓ７０２で、ＣＰＵ１０は、ダイヤ編成システム２からα路線標準時刻情報を取得する。同じく、Ｓ７０３で、ＣＰＵ１０は、ダイヤ編成システム２からβ路線標準時刻情報を取得する。【００３８】
Ｓ７０４で、ＣＰＵ１０は、運行管理システム３からα路線運行情報を取得する。Ｓ７０５で、ＣＰＵ１０は、運行管理システム３からβ路線運行情報を取得する。Ｓ７０６で、ＣＰＵ１０は、α路線に遅延が有るかを判断する。遅延が有る場合（Ｙｅｓ）、ＣＰＵ１０はＳ７０８を、無い場合（Ｎｏ）はＳ７０７を実行する。【００３９】
Ｓ７０７で、ＣＰＵ１０は、α路線実績予測時刻情報にα路線標準時刻情報を設定する。Ｓ７０８で、ＣＰＵ１０は、α路線実績予測時刻情報にα路線標準時刻情報とα路線運行情報とで算出した結果を設定する。Ｓ７０９で、ＣＰＵ１０は、β路線に遅延が有るかを判断する。遅延が有る場合（Ｙｅｓ）、ＣＰＵ１０はＳ７１１を、無い場合（Ｎｏ）はＳ７１０を実行する。【００４０】
Ｓ７１０で、ＣＰＵ１０は、β路線実績予測時刻情報にβ路線標準時刻情報を設定する。Ｓ７１１で、ＣＰＵ１０は、β路線実績予測時刻情報にβ路線標準時刻情報とβ路線運行情報とで算出した結果を設定する。Ｓ７１２で、ＣＰＵ１０は、α路線実績予測時刻情報とβ路線実績予測時刻情報を経路検索システム４に送信する。【００４１】
経路検索システム４では、利用者からの検索条件に合致した経路検索結果を表示部に表示する。そのイメージを図８に示す。【００４２】
＜経路検索結果の表示イメージ１＞
図８は、第１の経路検索結果の表示イメージを示す図である。図８（１）が従来の表示イメージ８１で、図８（２）が本例での表示イメージ８２である。図８（１）に示す従来の表示イメージ８１では、遅延が発生しても標準時刻での検索結果を表示する。つまり、経路検索システム４は、Ｙ駅への到着時刻が６：２７：００であると利用者に通知してしまう。実際には、図のα路線の運行状況テーブル５１に示すように、α路線の列車０００１便（便ＩＤ：“０００１”）のＡ駅出発が１分２０秒（８０秒）遅れたため、乗換Ｃ駅には６：２４：００に到着するため、β路線の列車１２３１便（便ＩＤ：“０００１”、出発時刻６：２８：００）に乗り遅れてしまい、次の列車１２３１便（便ＩＤ：“０００１”、出発時刻６：２８：００）に乗車するしかなくなる。そのため、Ｙ駅への到着時刻は６：２７：００ではなく６：３２：００となる。【００４３】
そこで、本発明では、経路検索システム４が、ダイヤ編成システム２からの標準時刻情報及び運行管理システム３からの列車運行状況情報により、利用者からの検索条件に合致した経路検索結果を算出する。その結果を図８（２）のように利用者へ表示して通知する。すなわち、「列車０００１便は、走行中の異音発生原因確認のため、１分以上遅れております。そのため、Ｙ駅到着は通常６：２７：００のところ、６：３２：００となる予定です。」という列車遅延情報と到着予想時刻情報を文言で表示するとともに、各駅での出発時刻及び到着時刻を表形式で経路検索結果を表示して案内を行う。表形式の表示内容では、Ｃ駅での乗換列車を当初の「β路線１２３１便」から「β路線１２３２便」に変更されたことも合わせて案内する。【００４４】
このようにすることで、現在の運行状況を考慮した経路検索が可能になり、交通機関利用者の利便性が向上する。
【実施例２】
【００４５】
＜路線テーブル＞
図９は、列車路線ＤＢ１８１の内容である路線テーブルの構成例を示す図である。路線テーブル９０は、各路線情報を格納するものである。路線テーブル９０は、路線名、各路線で停車する駅名、総走行時間、接続可能路線名（乗換駅名）から構成され、図２に示した情報が格納される。【００４６】
＜駅テーブル＞
図１０は、駅ＤＢ１８２の内容である駅テーブルの構成例を示す図である。駅テーブル１００／１０１／１０２は、接続駅情報と接続駅間の走行時間を格納する。駅テーブル１００／１０１／１０２は、駅名、接続駅名１（進行方向に対し後続駅名）、走行時間１、接続駅名２（進行方向の接続駅名）、走行時間２から構成される。なお、駅テーブル１００／１０１／１０２に加えて、駅構内の情報（列車到着番線、駅構造（改札口位置、地下・地上出入口等））などの情報を格納してもよい。  【００４７】
＜乗換テーブル＞
図１１は、乗換ＤＢ１８３の内容である乗換テーブルの構成例を示す図である。乗換テーブル１１０／１１１／１１２は、乗換駅での乗換時間（標準、最短、最長）を管理するためのテーブルである。この乗換テーブル１１０／１１１／１１２に加えて、駅構内の情報（列車到着番線、駅構造（改札口位置、地下・地上出入口等））を格納してもよい。【００４８】
＜列車内状況テーブル＞
図１２は、列車内状況ＤＢ１８７の内容である列車内状況テーブルの構成例を示す図である。列車内状況テーブル１２０／１２１／１２２は、列車の各車両における乗客数や混雑度の情報が格納される。【００４９】
＜駅ホーム状況テーブル＞
図１３は、駅ホーム状況ＤＢ１８６の内容である駅ホーム状況テーブルの構成例を示す図である。駅ホーム状況テーブル１３０には、駅のホーム状況、移動人員や列車待ち人員などホームの状況がホーム毎ないし監視カメラ（図１６の符号１５３１）の設置ポイント毎に取得され、その結果が格納される。【００５０】
＜列車乗換情報提供処理＞
図１４は、列車乗換情報提供処理を示すフローチャート図である。【００５１】
Ｓ８０１で、路線運行実績管理・運行時刻予測システム１のＣＰＵ１０は、経路検索システム４で受け付けたユーザ経路検索条件を取得する。Ｓ８０２で、ＣＰＵ１０は、ダイヤ編成システム２からα路線標準時刻情報を取得する。Ｓ８０３で、ＣＰＵ１０は、ダイヤ編成システム２からβ路線標準時刻情報を取得する。【００５２】
Ｓ８０４で、ＣＰＵ１０は、運行管理システム３からα路線運行情報を取得する。Ｓ８０５で、ＣＰＵ１０は、運行管理システム３からβ路線運行情報を取得する。Ｓ８０６で、ＣＰＵ１０は、運行管理システム３からＡ駅情報を取得する。Ｓ８０７で、ＣＰＵ１０は、取得したα路線標準時刻情報、 α路線運行情報、Ａ駅情報から所定の列車での適切な乗車位置（ｐ１）及び乗車確率（ｅ１）を算出する。例えば、所定の列車での適切な乗車位置（ｐ１）は、列車内状況テーブル１２０／１２１／１２２における乗車人員情報と、乗換駅での駅ホーム状況テーブル１３０での移動人員及び列車待ち人員の情報から、乗車し易く乗換時間が短くなるような車両番号を特定する。また、同様に乗車できる乗車確率（ｅ１）も列車内状況テーブル１２０／１２１／１２２と駅ホーム状況テーブル１３０で算出する。例えば、乗車確率（ｅ１）は、Ｍｉｎ（１００％、１車両当たりの乗車定員／（車内乗車人員―降車人員＋乗車人員（列車待ち人員））という数式１で算出される。また、適切な乗車位置（ｐ１）も乗車確率（ｅ１）が１００％に近い位置を選択する。【００５３】
Ｓ８０８で、ＣＰＵ１０は、運行管理システム３から乗換駅であるＣ駅情報を取得する。Ｓ８０９で、ＣＰＵ１０は、取得したβ路線標準時刻情報、β路線運行情報、Ｃ駅情報から適切な移動経路（ｍ１）及び乗車確率（ｅ２）を算出する。例えば、移動経路（ｍ１）は、平均移動時間×現時点移動人員／平均移動人員という数式２で算出される値が最小となる経路を選択する。また、乗車確率（ｅ２）は数式１を数式２で補正（移動時間が長くなると確率が下がる、逆に移動時間が短くなると上がるよう）した値を用いる。Ｓ８１０で、ＣＰＵ１０は、算出した結果から、出発駅Ａ駅からＣ駅経由での目的駅Ｙ駅への適切な移動経路（ｍ２）、所要時間（ｔ１）及び到着確率（ａ１）を算出する。例えば、移動経路（ｍ２）は移動経路（ｍ１）を用いる。所要時間（ｔ１）は、電車での移動時間、乗換駅での移動時間、列車待ち時間の合計を算出する。なお、列車待ち時間は、乗車確率（ｅ２）により、乗車できる電車の時刻で変動する。到着確率（ａ１）は、乗車確率（ｅ２）を用いる。適切な移動経路（ｍ２）、所要時間（ｔ１）及び到着確率（ａ１）は、列車内状況テーブル１２０／１２１／１２２（列車内状況ＤＢ１８７）における乗車人員情報、乗換駅での駅ホーム状況テーブル１３０（駅ホーム状況ＤＢ１８６）での移動人員及び列車待ち人員の情報、α路線標準時刻情報、 α路線運行情報、β路線標準時刻情報、β路線運行情報から算出する。【００５４】
Ｓ８１１で、ＣＰＵ１０は、ダイヤ編成システム２からγ路線標準時刻情報を取得する。Ｓ８１２で、ＣＰＵ１０は、運行管理システム３からγ路線運行情報を取得する。Ｓ８１３で、ＣＰＵ１０は、取得結果から、出発駅Ａ駅からＤ駅経由で目的駅Ｙ駅への適切な移動経路（ｍ３）所要時間（ｔ２）及び到着確率（ａ２）を算出する。移動経路（ｍ３）所要時間（ｔ２）及び到着確率（ａ２）も、前述の移動経路（ｍ２）、所要時間（ｔ１）及び到着確率（ａ１）と同様に算出する。適切な移動経路（ｍ３）、所要時間（ｔ２）及び到着確率（ａ２）は、列車内状況テーブル１２０／１２１／１２２における乗車人員情報、乗換駅での駅ホーム状況テーブル１３０での移動人員及び列車待ち人員の情報、α路線標準時刻情報、α路線運行情報、β路線標準時刻情報、β路線運行情報、γ路線標準時刻情報、γ路線運行情報から算出する。Ｓ８１４で、ＣＰＵ１０は、取得結果及び算出結果を経路検索システム４に送信する。【００５５】
以上の処理の結果が、図１５から図１７に示す第２の表示イメージから第４の表示イメージである。【００５６】
＜経路検索結果の表示イメージ２＞
図１５は、第２の経路検索結果の表示イメージを示す図である。図１５（１）の乗車位置指定１では、「Ｂ駅情報（現在駅）」として、「列車０００１便は、走行中の異音発生原因確認のため、３分遅れており、大変混雑しております。階段付近の５号車、６号車には乗り込めない可能性は極大（９０％以上）です。１号車、２号車は比較的空いており、乗車可能性大（８０％以上）です。」という案内で乗車位置を示し、乗車率の向上と混雑度の平準化ができる。【００５７】
図１５（２）の乗車位置指定２では、「Ｙ駅情報（降車駅）」として、「列車０００１便は、走行中の異音発生原因確認のため、３分以上遅れており大変混雑しております。Ｙ駅への到着予想時刻は６：３２：００（３０％）から６：３７：００（７０％）です。」という予想到着時刻を案内し、「６：３２：００に到着するため、列車０００１便の１−２号車ないし７−８号車に乗って、Ｃ駅で経路１ないし経路３で乗り換えてください。そうすることで、６：３２：００に到着できる確率が３０％から７０％に向上します。」というように文字表示すると共に、列車の乗車位置を図形で表示することで、経路検索システム４の利用者に通知する。【００５８】
＜経路検索結果の表示イメージ３＞
図１６は、第３の経路検索結果の表示イメージを示す図である。図１６の「Ｃ駅情報（乗換駅情報）」では、「列車０００１便は、走行中の異音発生原因確認のため、３分遅れており、大変混雑しております。β線への乗換は、経路１、経路２、経路３の３つの経路があります。通常、経路２が最短距離で一番早く（３分以内）乗換できますが、遅延による混雑で一番時間（７分以上）が必要です。そのため、列車１２３２に乗れません。遠回り（迂回経路）ですが経路１ないし経路３であれば、７０％の確率で乗換が可能です。」というように、遅延原因・乗換経路候補・乗換予想時間・乗換可能確率等を文字表示すると共に、適切な列車の乗車位置と適切な乗換経路を図形で表示することで、経路検索システム４の利用者に通知する。【００５９】
＜経路検索結果の表示イメージ４＞
図１７は、第４の経路検索結果の表示イメージを示す図である。図１７の「Ｄ駅情報（推奨乗換駅情報）」では、「列車０００１便は、走行中の異音発生原因確認のため、３分遅れており、大変混雑しております。時間に余裕があれば、Ｃ駅でのβ線への乗換でなく、Ｄ駅でのγ線への乗換を推奨します。Ｙ駅におけるβ線への乗換は、経路１、経路２、経路３の３つの経路があります。通常、経路２が最短距離で一番早く（３分以内）乗換できますが、遅延による混雑で一番時間（７分以上）が必要です。そのため、列車１２３２に乗れません。遠回り（迂回経路で移動距離は長くなる）ですが経路１ないし経路３であれば、７０％の確率で乗換が可能です。」というように、遅延原因・乗換経路候補・乗換予想時間・乗換可能確率等を文字表示すると共に、適切な列車の乗車位置と適切な乗換経路を図形で表示することで、経路検索システム４の利用者に通知する。【００６０】
このようにすることで、現在の運行状況を考慮した経路検索が可能になり、交通機関利用者の利便性が向上する。また、混雑状況や適切な路線の迂回経路、列車乗り換え時の適切な移動経路等を利用者に提供できため、利用者の選択肢が広がり更なる利用者での利便性が向上する。更に、交通機関提供会社にとっても各駅ないし各列車での混雑を緩和することができ、また、混雑緩和により駅や列車内での事故発生を低減できるという効果がある。
【実施例３】
【００６１】
＜経路検索システムの内部構成＞
図１８は、経路検索システムの内部構成を示すブロック図である。経路検索システム４は、ＣＰＵ２０、入力部２１、出力部２２、表示部２３、通信部２４、主メモリ２５、記憶装置２８の要素から構成される。【００６２】
ＣＰＵ２０は、経路検索システム４全体を制御するプロセッサである。入力部２１は、外部からの情報を受け付けるデバイスで、例えば、キーボードである。出力部２２は、情報やデータを出力するデバイスで、例えば、スピーカやプリンタである。表示部２３は、情報やデータを表示するデバイスで、例えば、液晶ディスプレイである。通信部２４は、ネットワークを介しと他の装置（ダイヤ編成システム２、運行管理システム３、経路検索システム４など）とを接続するデバイスである。【００６３】
主メモリ２５は、各種プログラム及び後述する各種データなどを一時的に記憶するデバイスである。記憶装置２８は、各種プログラム及び後述する各種データなどを恒久的に記憶するデバイスで、例えばＨＤＤ（Ｈａｒｄ  Ｄｉｓｋ  Ｄｒｉｖｅ）やＳＳＤ（Ｓｏｌｉｄ  Ｓｔａｔｅ  Ｄｒｉｖｅ）などである。以上の構成要素は内部バスで相互に接続される。【００６４】
また、主メモリ２５には、列車関連の各種情報を取得する機能や算出する機能を有する機能部２６０と、バス関連の各種情報を取得する機能や算出する機能を有する機能部２７０を格納する。また、図示はしていないが航空機関連や船舶関連などの移動体の各種情報を取得する機能や算出する機能を有する機能部を格納することもできる。【００６５】
列車関連の機能部２６０は、過去運行実績取得部２６１、過去運賃実績取得部２６２、精算経路算出部２６３、申請経路算出部２６４、精算経路入出力部２６５、申請経路入出力部２６６を備える。【００６６】
過去運行実績取得部２６１は、路線運行実績管理・運行時刻予測システム１のダイヤＤＢ１８４に格納されている各路線の標準時刻情報（過去及び現在）と、過去列車運行実績ＤＢ１８９１に格納されている運行実績情報（過去）を取得する。そして、過去運行実績取得部２６１は、取得した過去の各路線の標準時刻情報を過去列車運行標準時刻ＤＢ２８５に、現在の各路線の標準時刻情報を現行列車運行標準時刻ＤＢ２８４に、過去の各路線の運行実績情報を過去列車運行実績ＤＢ２８３に格納する。【００６７】
過去運賃実績取得部２６２は、路線運行実績管理・運行時刻予測システム１の運賃・料金実績ＤＢ１８９２に格納されている各路線の運賃及び料金（過去及び現在）を取得する機能部である。【００６８】
精算経路算出部２６３は、精算経路入出力部２６５が入力部２１から取得した出張日時、出発駅、目的駅などの情報に基づいて、経路、所要時間、運賃・料金を算出する機能部である。【００６９】
申請経路算出部２６４は、申請経路入出力部２６６が入力部２１から取得した出張日時や定期券使用開始日、定期券期間、出発駅、目的駅などの情報に基づいて、経路、所要時間、運賃・料金を算出する機能部である。【００７０】
精算経路入出力部２６５は、出張時の旅費精算を行う場合、入力部２１から出張日時、出発駅、目的駅などの情報を取得し、精算経路算出部２６３で算出された経路、所要時間、運賃・料金を表示部２３に表示させる機能部である。【００７１】
申請経路入出力部２６６は、出張または通勤定期代（通勤手当）の申請を行う場合、入力部２１から出張日時や定期券使用開始日、定期券期間、出発駅、目的駅などの情報を取得し、申請経路算出部２６４で算出された経路、所要時間、運賃・料金を表示部２３に表示させる機能部である。なお、上述の所要時間や運賃・料金の算出は、路線運行実績管理・運行時刻予測システム１の所要時間出力部１６４１や運賃実績出力部１６４２で算出し、その算出結果を経路検索システム４が取得してもよい。【００７２】
また、記憶装置２８には、旅費精算実績ＤＢ２８１、通勤手当申請実績ＤＢ２８２、過去列車運行実績ＤＢ２８３、現行列車運行標準時刻ＤＢ２８４、過去列車運行標準時刻ＤＢ２８５が格納される。【００７３】
旅費精算実績ＤＢ２８１には、出張時の旅費を精算した結果（実績）の情報（出張日時、出発駅、目的駅、所要時間、運賃・料金など）を格納する。通勤手当申請実績ＤＢ２８２には、通勤手当の申請した結果（実績）の情報（申請日、定期券開始日、使用期間、定期代、区間など）を格納する。【００７４】
過去列車運行実績ＤＢ２８３には、前述のように、路線運行実績管理・運行時刻予測システム１から取得した過去の各路線の運行実績情報を格納する。【００７５】
現行列車運行標準時刻ＤＢ２８４には、前述のように、路線運行実績管理・運行時刻予測システム１から取得した現在の各路線の標準時刻情報を格納する。【００７６】
過去列車運行標準時刻ＤＢ２８５には、前述のように、路線運行実績管理・運行時刻予測システム１から取得した過去の各路線の標準時刻情報を格納する。【００７７】
＜経路検索システムの内部構成＞
図１９は、運賃・料金実績ＤＢの内容である運賃・料金テーブルの構成例を示す図である。運賃・料金テーブル１８９２１は、α線の各駅間の運賃を管理するテーブルである。テーブルの上段に下線付きで記載された金額が、現金のチャージ機能付きのＩＣカードを使用した時のＩＣ運賃で、下段が現金で切符を購入する場合の運賃である。β線の運賃・料金テーブル１８９２２、γ線の運賃・料金テーブル１８９２３もα線の運賃・料金テーブル１８９２１と同様である。この運賃・料金テーブル１８９２１／１８９２２／１８９２３が、路線運行実績管理・運行時刻予測システム１の運賃・料金実績ＤＢ１８９２に格納されるが、経路検索システム４で情報を取得し、経路検索システム４の記憶装置２８に格納してもよい。【００７８】
＜表示イメージ１（出張予定の申請画面）＞
図２０は、出張予定の申請画面の表示イメージを示す図である。出張予定の申請画面２０００は、交通機関を利用する日付情報である出張日（予定）の入力領域２００１、往路（行き）の出発駅・目的駅・出発予定時刻の入力領域２００２１、復路（帰り）の出発駅・目的駅・出発予定時刻の入力領域２００２２、現金運賃かＩＣ運賃かをラジオボタンで選択する運賃種別選択領域２００２３、入力情報及び選択情報の受付を実行する実行ボタン２００３１、入力情報及び選択情報の内容を消去するキャンセルボタン２００３２がある。【００７９】
所定の情報を入力（入力領域２００１、入力領域２００２１、入力領域２００２２）及び選択（運賃種別選択領域２００２３）した後、実行ボタン２００３１を押下することで、経路検索結果が表示領域２００４に表示される。つまり、往路（行き）及び復路（帰り）それぞれに経路の候補が２つ示され、それぞれの候補に経路（駅の順番）情報、時刻情報、所要時間・待ち時間情報、鉄道運賃情報等の情報と候補選定理由が表示領域２００４に表示される。【００８０】
ユーザ（申請者）は、往路／行き経路選定領域２００５のラジオボタンで、表示領域２００４に提示された往路／行きの候補（１ａ）または候補（１ｂ）を選択する。同じく、ユーザ（申請者）は、復路／帰り経路選定領域２００６のラジオボタンで、表示領域２００４に提示された復路／帰りの候補（２ａ）または候補（２ｂ）を選択する。そして、決定ボタン２００６１を押下することで、入力情報及び選択情報が経路検索システム４に受け付けられる。申請内容をクリアする場合にはキャンセルボタン２００６２を押下すればよい。これらの入力、算出、表示の機能は、経路検索システム４の機能部である過去運行実績取得部２６１、過去運賃実績取得部２６２、精算経路算出部２６３、申請経路算出部２６４、精算経路入出力部２６５、申請経路入出力部２６６が連携して実行される。【００８１】
＜表示イメージ２（出張の旅費精算画面）＞
図２１は、出張の旅費精算画面の表示イメージを示す図である。出張の旅費精算画面２１００は、交通機関を利用した日付情報である出張日（実績）の入力領域２１０１、往路（行き）の出発駅・目的駅・出発時刻の入力領域２１０２１、復路（帰り）の出発駅・目的駅・出発時刻の入力領域２１０２２、現金運賃かＩＣ運賃かをラジオボタンで選択する運賃種別選択領域２１０２３、入力情報及び選択情報の受付を実行する実行ボタン２１０３１、入力情報及び選択情報の内容を消去するキャンセルボタン２１０３２がある。【００８２】
所定の情報を入力（入力領域２１０１、入力領域２１０２１、入力領域２１０２２）及び選択（運賃種別選択領域２１０２３）した後、実行ボタン２１０３１を押下することで、経路検索結果が表示領域２１０４に表示される。つまり、往路（行き）及び復路（帰り）それぞれに経路の候補が２つ示され、それぞれの候補に経路（駅の順番）情報、時刻情報、所要時間・待ち時間情報、鉄道運賃情報等の情報と候補選定理由が表示領域２１０４に表示される。【００８３】
ユーザ（申請者）は、往路／行き経路選定領域２１０５のラジオボタンで、表示領域２１０４に提示された往路／行きの候補（１ａ）または候補（１ｂ）を選択する。同じく、ユーザ（申請者）は、復路／帰り経路選定領域２１０６のラジオボタンで、表示領域２１０４に提示された復路／帰りの候補（２ａ）または候補（２ｂ）を選択する。そして、決定ボタン２１０６１を押下することで、入力情報及び選択情報が経路検索システム４に受け付けられる。申請内容をクリアする場合にはキャンセルボタン２１０６２を押下すればよい。これらの入力、算出、表示の機能は、経路検索システム４の機能部である過去運行実績取得部２６１、過去運賃実績取得部２６２、精算経路算出部２６３、申請経路算出部２６４、精算経路入出力部２６５、申請経路入出力部２６６が連携して実行される。【００８４】
＜表示イメージ３（通勤定期の申請画面）＞
図２２は、通勤定期の申請画面の表示イメージを示す図である。通勤定期の申請画面２２００は、交通機関を利用する日付情報である通勤定期の開始日と利用期間（１ヶ月、３ヶ月、６ヶ月）の入力領域２２０１、経路（利用駅間）・出勤時間帯・帰宅時間帯の入力領域２２０２、入力情報の受付を実行する実行ボタン２２０３１、入力情報の内容を消去するキャンセルボタン２２０３２がある。【００８５】
所定の情報を入力（入力領域２２０１、入力領域２２０２）した後、実行ボタン２２０３１を押下することで、経路検索結果が表示領域２２０４に表示される。つまり、経路の候補が２つ示され、それぞれの候補に経路（駅の順番）情報、時刻情報、所要時間・待ち時間情報、鉄道運賃情報等の情報と候補選定理由が表示領域２２０４に表示される。なお、入力領域２２０２の出勤時間帯・帰宅時間帯に、時刻を設定することも可能である。例えば、通勤時間帯に会社の始業時刻の少し前の時刻を到着時刻として指定し、帰宅時間帯に会社の終業時刻、または普段の退勤時刻の少し後の時刻を出発時刻として指定することで、より精度の高い検索結果を得られる。【００８６】
ユーザ（申請者）は、経路選定領域２２０５のラジオボタンで、表示領域２２０４に提示された経路候補（１ａ）または候補（１ｂ）を選択する。そして、決定ボタン２２０６１を押下することで、入力情報及び選択情報が経路検索システム４に受け付けられる。申請内容をクリアする場合にはキャンセルボタン２２０６２を押下すればよい。これらの入力、算出、表示の機能は、経路検索システム４の機能部である過去運行実績取得部２６１、過去運賃実績取得部２６２、精算経路算出部２６３、申請経路算出部２６４、精算経路入出力部２６５、申請経路入出力部２６６が連携して実行される。【００８７】
＜申請及び精算時の経路検索処理＞
図２３は、申請及び精算時の経路検索処理を示すフローチャート図である。処理の主体を経路検索システム４のＣＰＵ２０とするが、経路検索システム４自体でもよい。また、経路検索システム４の機能部である過去運行実績取得部２６１、過去運賃実績取得部２６２、精算経路算出部２６３、申請経路算出部２６４、精算経路入出力部２６５、申請経路入出力部２６６が連携して実行されてもよい。【００８８】
Ｓ２３０１で、ＣＰＵ２０は、経路検索システム４の入力部２１で受け付けたユーザ経路検索条件を取得する。【００８９】
Ｓ２３０２で、ＣＰＵ２０は、路線運行実績管理・予測時刻生成システム１からα路線標準時刻情報を取得する。Ｓ２３０３で、ＣＰＵ２０は、路線運行実績管理・予測時刻生成システム１からβ路線標準時刻情報を取得する。Ｓ２３０４で、ＣＰＵ２０は、路線運行実績管理・予測時刻生成システム１からγ路線標準時刻情報を取得する。【００９０】
Ｓ２３０５で、ＣＰＵ２０は、路線運行実績管理・予測時刻生成システム１からα路線運行実績情報（過去実績）を取得する。Ｓ２３０６で、ＣＰＵ２０は、路線運行実績管理・予測時刻生成システム１からβ路線実績情報（過去実績）を取得する。Ｓ２３０７で、ＣＰＵ２０は、路線運行実績管理・予測時刻生成システム１からγ路線実績情報（過去実績）を取得する。【００９１】
Ｓ２３０８で、ＣＰＵ２０は、路線運行実績管理・予測時刻生成システム１から運賃情報（現在・過去実績）を取得する。Ｓ２３０９で、ＣＰＵ２０は、ユーザ経路検索条件の出発駅と到着駅との情報から全ての経路(経路１〜経路ｎ）を算出する。Ｓ２３１０で、ＣＰＵ２０は、Ｓ２３０９で算出した経路１での所要時間（推測または実績）及び運賃を算出する。【００９２】
Ｓ２３１１で、ＣＰＵ２０は、全ての経路で算出を完了したかを判断する。全ての経路で算出が完了していない場合（Ｓ２３１１：Ｎｏ）、ＣＰＵ２０はＳ２３１０を、完了している場合（Ｓ２３１１：Ｙｅｓ）はＳ２３１２を実行する。【００９３】
Ｓ２３１２で、ＣＰＵ２０は、算出して経路情報と対応する所要時間及び運賃を表示部２３に表示させる。Ｓ２３１３で、ＣＰＵ２０は、ユーザによる選択結果の取得し、その結果を旅費精算実績ＤＢ２８１や通勤手当申請実績ＤＢ２８２に格納する。そして、ＣＰＵ２０は、経路検索処理を終了する。【００９４】
このように、実施例３でも、過去の列車運行実績情報や運賃情報を用いることで、適切な経路情報（経路、所要時間、運賃など）をユーザに提供できる。そのため、使い勝手が向上し、申請や精算に要する時間を短縮できる。【００９５】
なお、本発明は上記した実施例に限定されるものではなく、様々な変形例が含まれる。また、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。【００９６】
また、上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ等の記録装置、または、ＩＣカード、ＳＤカード、ＤＶＤ等の記録媒体に置いてもよい。また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【００９７】
１：路線運行実績管理・運行時刻予測システム、２：ダイヤ編成システム、３：運行管理システム、４：経路検索システム、１０、２０：ＣＰＵ、１１、２１：入力部、１２、２２：出力部、１３、２３：表示部、１４、２４：通信部、１５、２５：主メモリ、１８、２８：記憶装置、４１、４２：標準時刻テーブル、５１、５２、５３：運行状況テーブル、５４、５５、５６：過去運行実績テーブル（単日）、５７、５８、５９：過去運行実績テーブル（期間平均）、６１、６２、６３：運行実績・予測時刻テーブル、９０：路線テーブル、１００、１０１、１０２：駅テーブル、１１０、１１１、１１２：乗換テーブル、１２０、１２１、１２２：列車内状況テーブル、１３０：駅ホーム状況テーブル、１８９１：過去列車運行実績ＤＢ、１８９２：運賃・料金実績ＤＢ（運賃・料金改定、消費税導入・税率変更）、１９５：過去バス運行実績ＤＢ、２８１：旅費精算実績ＤＢ、２８２：通勤手当申請実績ＤＢ、２８３：過去列車運行実績ＤＢ、２８４：現行列車運行標準時刻ＤＢ、２８５：過去列車運行標準時刻ＤＢ
【要約】
過去の運行実績や運賃を加味した経路検索を行うことができる経路検索システムを提供する。そのために、経路情報提供システムは、鉄道やバス等の時刻表を作成するシステムであるダイヤ編成システムと、鉄道やバス等の運行状況を監視する運行管理システムと、ダイヤ編成システムからの時刻情報と運行管理システムからの運行情報から過去及び現在の運行実績情報を生成し、過去及び現在の運賃情報を管理する運行実績管理・運行時刻予測システムと、利用者から受け付けた経路検索条件で出発地から到着地までの交通機関情報を含む経路情報を生成する経路検索システムを備え、利用者から受け付けた経路検索条件により、過去に利用した交通機関での経路情報の候補または、これから利用する交通機関での経路情報の候補を生成し、ユーザへ提供する。【図１】
0005986300.tif 000002
【図２】
0005986300.tif 000003
【図３】
0005986300.tif 000004
【図４】
0005986300.tif 000005
【図５ａ】
0005986300.tif 000006
【図５ｂ】
0005986300.tif 000007
【図５ｃ】
0005986300.tif 000008
【図６】
0005986300.tif 000009
【図７】
0005986300.tif 000010
【図８】
0005986300.tif 000011
【図９】
0005986300.tif 000012
【図１０】
0005986300.tif 000013
【図１１】
0005986300.tif 000014
【図１２】
0005986300.tif 000015
【図１３】
0005986300.tif 000016
【図１４】
0005986300.tif 000017
【図１５】
0005986300.tif 000018
【図１６】
0005986300.tif 000019
【図１７】
0005986300.tif 000020
【図１８】
0005986300.tif 000021
【図１９】
0005986300.tif 000022
【図２０】
0005986300.tif 000023
【図２１】
0005986300.tif 000024
【図２２】
0005986300.tif 000025
【図２３】
0005986300.tif 000026